(57)【要約】【課題】内容物を建築部材の厚さ全長まで均一に採取できる検体採取装置を提供する。【解決手段】既設の建築物において防火区画の壁や床を貫通しているケーブルや配管を工事する場合、予め耐火材にアスベストが使用されていないか調査する必要がある。本装置は、壁や床などに差し込んで内容物を採取するもので、内容物を掴持する挟持アーム１と、握り２と、挟持アーム１と握り２を連結するクロス部材３とから構成されている。クロス部材３は、挟持アーム１が平行に開閉するように中央に支点軸５を有するＸ状として挟持アーム１に長孔６ａ，６ｂを介して連結している。また、挟持アーム１は、先端部１ｃを尖らせるとともに長さを１５０〜２５０ｍｍとし、挟持する面には複数の切欠き８が設けられている。【選択図】図１
2013083127.tif 000002
【特許請求の範囲】
【請求項１】
壁や床などの建築部材中に差し込んで内容物を採取する手持ちの採取装置であって、内容物を掴持する挟持アームと、握りと、挟持アームと握りを連結するクロス部材とからなり、該クロス部材は、挟持アームが平行に開閉するように中央に支点軸を有するＸ状として挟持アームに長孔を介して連結し、挟持アームは、先端部を尖らせるとともに長さを１５０〜２５０ｍｍとしたことを特徴とする検体採取装置。
【請求項２】
前記挟持アームは、挟持する面に複数の切欠きを設けたことを特徴とする請求項１に記載の検体採取装置。
【請求項３】
前記握りに連結するクロス部材の長孔は、挟持アームの開きが２０〜３０ｍｍに制限される長さとしたことを特徴とする請求項１または請求項２に記載の検体採取装置。
【発明の詳細な説明】
【技術分野】
【０００１】
本発明は、壁、床、天井などの建築部材の内容物を採取するための検体採取装置に関するものである。
【背景技術】
【０００２】
従来、壁や床などの建築部材には断熱を目的としてアスベストが使用されてきた。また、壁または床に貫通穴を設けてケーブルや配管を通す場合、防火措置として貫通穴とケーブルとの隙間を耐火材で埋めているが、この耐火材としてアスベストが使用されていた。しかし、アスベストは人体への有害性が問題となり、近年では使用されていない。
【０００３】
ところで、既設の建築物において、補修や解体などを行う場合、壁や床にはアスベストが混入している可能性が否定できないので、有無を予め調査する必要がある。また、防火区画の壁や床を貫通しているケーブルや配管を工事する場合も、予め耐火材にアスベストが使用されていないか調査する必要がある。
従来、貫通部防火措置における耐火材の採取は、一般に壁や床の一部に穴を開けペンチなどで内容物を掴み取るものであった。
また、文献としては、建築部材の内容物を採取する手段として外装板をホルソーで円形にカットし、コアドリルを差し込んで試料を切り出すものがある（特許文献１参照）。
【先行技術文献】
【特許文献】
【０００４】
【特許文献１】特許第３００８３３８号
【発明の開示】
【発明が解決しようとする課題】
【０００５】
壁や床に加工を施す場合、断熱材としてアスベストが使用されているかどうかは、壁や床の一部にドリルで穴を開け、内容物を少し採取すれば、簡便に知ることができる場合が多い。
しかしながら、壁や床の厚みが大きい場合には、種々のものが混合しているものがある。また、貫通穴を設けてケーブルを挿通して隙間を耐火材で埋めている場合では、過去にケーブルの追加や引き換えが行われ、アスベスト以外の耐火材が使用された場合であっても、それ以前に使用されたアスベストが一部残っていることが少なくない。
このため、内容物を採取する場合は、表面の一部のみではなく、奥まで均一に掴み取って分析することが必要となっている。しかしながら、壁や床の厚みは１００ｍｍ以上あり、奥の内容物を採取することは、困難であった。
【０００６】
そこで、本発明は、内容物を建築部材の厚さ全長まで均一に確実に採取できる検体採取装置を提供することを目的としている。
【課題を解決するための手段】
【０００７】
本発明の検体採取装置は、上記の目的を達成するため、次の手段を採った。すなわち、壁や床などの建築部材中に差し込んで内容物を採取する手持ちの採取装置であって、内容物を掴持する挟持アームと、握りと、挟持アームと握りを連結するクロス部材とからなり、該クロス部材は、挟持アームが平行に開閉するように中央に支点軸を有するＸ状として挟持アームに長孔を介して連結し、挟持アームは、先端部を尖らせるとともに長さを１５０〜２５０ｍｍとしたことを特徴としている。
【０００８】
挟持アームを平行に開閉させる機構は、中央に支点軸を有するＸ状のクロス部材を挟持アームに設けた長孔にピン連結することによっている。挟持アームに設ける長孔は、クロス部材の挟持アーム側の先端部または後端部のいずれでもよい。
壁や床などの建築部材の厚さは、１５０ｍｍまでが多いが、それ以上の場合もある。
挟持アームの長さは、長くすると内容物を掴持する力が不足するので、２５０ｍｍまでとする。
【０００９】
また、挟持アームの開く量は２０〜３０ｍｍとする。この範囲外だと建築部材の厚さの全長にわたって内容物を採取することが難しくなる。なお、この開く量は、挟持アームの長さが短い場合は大きくてもよいが、長い場合は小さくするとよい。
挟持アームの開く量の制限は、クロス部材に係止部材を付設してもよいが、上記の挟持アームに設ける長孔の長さ寸法による（請求項３）と簡便である。
また、挟持アームの先端部は尖らせるが、安全上などの点から先端を丸めたものも含まれる。
【発明の効果】
【００１０】
上記のように、本発明の検体採取装置は、挟持アームを平行に開閉可能に構成するとともに先端部を尖らせて、長さを１５０〜２５０ｍｍとしたので、挟持アームを開いた状態で内容物へ簡便に奥深く挿入し、内容物を均一に採取でき、検査精度が向上する。
【００１１】
また挟持アームは、挟持する面に複数の切欠きを設けることにより（請求項２）、挟持部が長く（１５０〜２５０ｍｍ）ても、内容物を確実に強固に掴むことができる。
また、挟持アームの開きを２０〜３０ｍｍに制限するようにした（請求項３）ので、掴む量が制限され、確実に内容物を掴むことができる。
【発明を実施するための形態】
【００１２】
本発明の検体採取装置の実施の形態を図面に基づいて説明する。
図１および図２は、検体採取装置の全体を示す平面図で、図１は、挟持アームを開いた状態、図２は閉じた状態を示している。
検体採取装置１０は、全体がハサミのような形状を有しており、挟持アーム１と握り２とクロス部材３とからなっている。
【００１３】
挟持アーム１は、第１アーム１ａと第２アーム１ｂとからなり、先端部１ｃは尖ら（先端は丸めてある）せ、挟持する部分となる位置にはそれぞれ挟持材１ａと挟持材１ｂが固設されている。
挟持材１ａと挟持材１ｂは、９０度折り曲がった形材を対向させて使用している（図３参照）。そして、挟持部にはノコギリの刃のような切欠き８、８がそれぞれ形成されている。なお、ここでは、挟持部の長さは２００ｍｍ、幅は１８ｍｍとしている。
【００１４】
クロス部材３は、連結材３ａと連結材３ｂとからなり、連結材３ａの一端は第１アーム１ａの中央より後部寄りにピン４ａで連結され、他端側は第２アーム１ｂの後端側に設けた長孔６ａにピン７ａで連結されている。そして、連結材３ｂの一端は第２アーム１ｂの中央より後部寄りにピン４ｂで連結され、他端側は第１アーム１ａの後端側に設けた長孔６ｂにピン７ｂで連結されている。さらに、連結材３ａと連結材３ｂは、中央部を支点軸５によって連結されている。
握り２は、第１握材２ａと第２握材２ｂとからなり、それぞれ連結材３ａと連結材３ｂの後端に固設されている。
【００１５】
検体採取装置１０は、このように構成されているので、挟持アーム１を閉じた状態（図２）から、第１握材２ａと第２握材２ｂを持って開くと、第１アーム１ａと第２アーム１ｂが平行に開き、図１の状態となる。
挟持アーム１が開くにしたがって、ピン７ａおよびピン７ｂは長孔６ａ、長孔６ｂの後端から前端へ移動する。なお、ここでは、最大２５ｍｍまで開くように長孔６ａ、６ｂの長さが決められている。
【００１６】
次に、第１握材２ａと第２握材２ｂを持って閉じると、第１アーム１ａと第２アーム１ｂが平行に移動して閉鎖され、図２の状態となる。このときの状態は、挟持材１ａと挟持材１ｂが当接し、菱形の空間９が形成され、挟持アーム１の先端部１ｃが尖った状態となる（図３参照）。
【００１７】
この検体採取装置１０で壁や床などの建築部材の内容物を採取する場合は、まず、建築部材の表装部に径５０ｍｍ程度の穴を開ける。そして、検体採取装置１０の握り２を持って、挟持アーム１を開いた状態として、該穴から建築部材の厚さ一杯まで差し込む。挟持アーム１の先端部１ｃは尖っているので、押込む抵抗を少なくできる。
【００１８】
次に、握り２を閉じて挟持アーム１を閉じた状態とする。これにより、内容物は挟持アーム１の菱形の空間９に掴かまれる。挟持材１ａと挟持材１ｂにはノコギリ状の切欠き８が形成されているので、内容物を強固に噛んだ状態となり、この状態で検体採取装置１０を引き出すことにより、挟持アーム１の全長にわたってほぼ均一に内容物を採取できる。  
【００１９】
次に、床に貫通穴を設けてケーブルを挿通して隙間を耐火材で埋めている場合における耐火材の採取を検体採取装置１０を用いて行う場合について、説明する。
図４に示すように、上ボード１１と下ボード１２間に貫通部１３が形成され、床上の制御盤１６から、ケーブル１５が該貫通部１３を通して床下へ配線されている。貫通部１３は、耐火材１４がケーブル１５を包み込んで内装されている。
【００２０】
この耐火材１４を検体採取装置１０で採取する場合は、まず、貫通部１３の下ボード１２の一部にドリルで５０ｍｍ径の穴を開けて開口部１７を形成する。
次に、上記で説明したように、検体採取装置１０の握り２を持って、挟持アーム１を開いた状態にして、開口部１７から建築部材の厚さ一杯まで差し込んで、握り２を閉じて挟持アーム１を閉じた状態とし、引き出す。これにより、耐火材１４が挟持アーム１の全長にわたって採取できる。なお、先端は丸めてあるので、誤ってケーブルに当たっても傷付けることがない。
【００２１】
上記の実施の形態では、挟持材１ｄ，１ｅをそれぞれ第１アーム１ａ、１ｂに固設したもので説明したが、削り出しや形鍛造で一体に形成したものでもよい。また、連結材３ａと第１握材２ａ、連結材３ｂと第２握材２ｂも一体としてもよい。
また、実施形態では、具体的な寸法を示して説明したが、発明をより理解しやすいようにするためであって、これに限定するものでないことはいうまでもない。
【図面の簡単な説明】
【００２２】
【図１】本発明のアスベスト検体採取装置の実施の形態の平面図で、挟持アームが開いた状態を示している。
【図２】同、挟持アームを閉じた状態を示す平面図である。
【図３】同、図２におけるＡ−Ａ視断面図である。
【図４】同、本発明装置を防火区画のケーブル貫通部で使用した状態を示す説明図である。
【符号の説明】
【００２３】
１挟持アーム
１ａ第１アーム
１ｂ第２アーム
１ｃ先端部
１ｄ挟持材
１ｅ挟持材
２握り
２ａ第１握材
２ｂ第２握材
３クロス部材
３ａ第１連結材
３ｂ第２連結材
４ａピン
４ｂピン
５支点軸
６ａ長孔
６ｂ長孔
７ａピン
７ｂピン
８切欠き
９空間
１０検体採取装置
１１ボード
１２ボード
１３貫通部
１４耐火材
１５ケーブル
１６制御盤
１７開口部
【図１】
2013083127.tif 000003
【図２】
2013083127.tif 000004
【図３】
2013083127.tif 000005
【図４】
2013083127.tif 000006